(57)【特許請求の範囲】
【請求項１】
上面に半導体素子が載置される載置部を有する基体と、該基体上面に前記載置部を囲繞するように取着されるとともに、側部に貫通孔または切欠部から成る入出力端子の取付部を有する金属枠体と、前記取付部に嵌着接合される入出力端子とを具備した半導体素子収納用パッケージにおいて、
前記金属枠体の内面および／または外面の前記取付部の辺に沿って該辺の長さと略同じ長さ以上の溝が形成されており、該溝の深さＸは前記金属枠体の厚さの１／５〜１／３、前記溝の幅Ｙは１〜５ｍｍ、前記取付部の辺と前記溝との距離Ｌは０．１〜５ｍｍであることを特徴とする半導体素子収納用パッケージ。
【発明の詳細な説明】
【０００１】
【発明の属する技術分野】
本発明は、光通信やマイクロ波通信、ミリ波通信等の分野に用いられる各種半導体素子を収納する半導体素子収納用パッケージに関する。
【０００２】
【従来の技術】
従来、マイクロ波帯域やミリ波帯域の高周波信号や、光信号により作動する各種半導体素子を収納する半導体素子収納用パッケージ（以下、半導体パッケージという）のうち、光通信分野に用いられる光半導体パッケージを図３に示す。
【０００３】
同図に示すように、半導体パッケージは、一般に、上面にＬＤ（半導体レーザ），ＰＤ（フォトダイオード）等の光半導体素子としての半導体素子１１０が載置される載置部１０１ａを有するとともに、実装基板（図示せず）にトルクをかけてネジ止めされるネジ止め孔（フランジ）１０１ｂが形成される、鉄（Ｆｅ）−ニッケル（Ｎｉ）−コバルト（Ｃｏ）合金や銅（Ｃｕ）−タングステン（Ｗ）合金等の金属材料から成る基体１０１を有する。また、載置部１０１ａを囲繞するようにして基体１０１の上面に銀ロウ等のロウ材を介して接合されるとともに、長辺の両側部に半導体素子１１０と外部電気回路（図示せず）とを電気的に接続する入出力端子１０３嵌着接合用の切欠部１０２ａが形成され、さらに短辺の一側部に半導体素子１１０と光結合するための光伝送路である貫通孔１０２ｂが形成された、Ｆｅ−Ｎｉ−Ｃｏ合金等の金属材料から成る金属枠体１０２を有する。
【０００４】
入出力端子１０３は、上面に一辺から対向する他辺にかけて形成された線路導体１０３ａ−Ａを有する誘電体から成る平板部１０３ａおよび平板部１０３ａの上面に線路導体１０３ａ−Ａを間に挟んで接合された誘電体から成る立壁部１０３ｂを有し、また入出力端子１０３側面の一部には、線路導体１０３ａ−Ａを擬似同軸状に囲み接地導体（グランド）として機能するとともに、切欠部１０２ａ内周面に銀ロウ等のロウ材１０８（図３のものはプリモールドである）を介して接合させる接合媒体として機能するメタライズ層１０３ａ−Ｂが形成されている。
【０００５】
この線路導体１０３ａ−Ａ上面には、Ｆｅ−Ｎｉ−Ｃｏ合金等の金属材料から成り、銀ロウ等のロウ材で接合されるとともに、入出力端子１０３と外部電気回路との電気的接続を行う機能を有するリード端子１０４が形成される。
【０００６】
また、金属枠体１０２の光伝送路である貫通孔１０２ｂの外側周辺部には、金属枠体１０２の熱膨張係数に近似するＦｅ−Ｎｉ−Ｃｏ合金，Ｆｅ−Ｎｉ合金等の金属材料から成る、光ファイバ１０７固定用の筒状の固定部材１０５が銀ロウ等のロウ材で接合される。
【０００７】
また、シールリング１０９は、金属枠体１０２上面および入出力端子１０３上面に銀ロウ等のロウ材１０８を介して接合され、入出力端子１０３を挟持するとともに、上面に蓋体（図示せず）をシーム溶接等により接合するための媒体として機能する。
【０００８】
このような半導体パッケージに、半導体素子１１０を載置部１０１ａにＳｎ−Ｐｂ半田等の低融点ロウ材で載置固定するとともに、線路導体１０３ａ−Ａと半導体素子１１０とをボンディングワイヤ（図示せず）で電気的に接続し、さらに光ファイバ１０７と半導体素子１１０との光軸を調整した後、固定部材１０５外側端面に、光ファイバ１０７を樹脂等の接着剤で取着した金属ホルダ１０６をＡｕ−Ｓｎ等の低融点ロウ材で接合する。さらに、シールリング１０９上面に蓋体をシーム溶接等により接合することにより、製品としての光半導体装置となる。
【０００９】
このような光半導体装置は、実装基板上にネジ止めされた後、外部電気回路から供給される駆動信号によって半導体素子１１０を光励起させ、励起したレーザ光等の光を光ファイバ１０７に授受させるとともに、光ファイバ１０７内を伝送させることにより、大容量の情報を高速に伝送できる光電変換装置として機能するとともに、光通信分野等に多く用いられる。
【００１０】
【発明が解決しようとする課題】
しかしながら、上記従来の半導体パッケージにおいて、メタライズ層１０３ａ−Ｂを切欠部１０２ａ内周面にロウ材１０８を介して接合した際、図４に金属枠体１０２と入出力端子１０３との接合部の部分拡大平面図を示すように、少しでもロウ材が多いと各々の接合にとって過剰なロウ材が、金属枠体１０２とメタライズ層１０３ａ−Ｂとの間に溜まってしまい、所謂ロウ材溜まり１２０を形成する。熱膨張係数が金属枠体１０２，入出力端子１０３と異なるロウ材溜まり１２０を起点として、金属枠体１０２や入出力端子１０３、ひいては基体１０１に応力を加えることとなる。この応力により、金属枠体１０２よりも弾性の低い入出力端子１０３にクラック等が発生する場合があり、高周波伝送特性や、金属枠体１０２内部の気密性が損なわれ、半導体素子１１０の作動性を良好なものとできないという問題点を有していた。
【００１１】
上記問題点を解決する手段として、入出力端子１０３の平板部１０３ａ，立壁部１０３ｂの厚さを厚くすることにより応力による耐久性を強化することも考えられるが、この場合、誘電体の表面積が大きくなることによる浮遊容量の発生により、高周波伝送特性が損なわる。
【００１２】
また、クラック等が発生しない場合であっても、基体１０１まで加わった応力により基体１０１が反り変形することとなり、このような光半導体パッケージをフランジ１０１ｂを介して実装基板にネジ止めした際、基体１０１の反り変形が矯正され、反った状態で光軸が合っていたため、光ファイバ１０７と半導体素子１１０との光軸がずれて、光結合効率が損なわれ、半導体素子１１０の光信号による作動性を良好なものとできないという問題点を有していた。
【００１３】
従って、本発明はこのような問題点に鑑みて完成されたもので、その目的は、金属枠体とメタライズ層との間にロウ材溜まりを発生させないようにすることにより、金属枠体内部の気密性や高周波伝送特性、さらには光結合効率を良好なものとし、半導体素子を長期にわたり正常かつ安定に作動させ得ることにある。
【００１４】
【課題を解決するための手段】
本発明の半導体素子収納用パッケージは、上面に半導体素子が載置される載置部を有する基体と、該基体上面に前記載置部を囲繞するように取着されるとともに、側部に貫通孔または切欠部から成る入出力端子の取付部を有する金属枠体と、前記取付部に嵌着接合される入出力端子とを具備した半導体素子収納用パッケージにおいて、前記金属枠体の内面および／または外面の前記取付部の辺に沿って該辺の長さと略同じ長さ以上の溝が形成されており、該溝の深さＸは前記金属枠体の厚さの１／５〜１／３、前記溝の幅Ｙは１〜５ｍｍ、前記取付部の辺と前記溝との距離Ｌは０．１〜５ｍｍであることを特徴とするものである。
【００１５】
本発明は、上記の構成により、入出力端子を取付部に銀ロウ等のロウ材で嵌着接合させた際、過剰なロウ材が、金属枠体内部の気密性，高周波伝送特性，光結合効率を損なわせる程度に大きいロウ材溜まりを金属枠体とメタライズ層との間に形成することはない。即ち、金属枠体の内面および／または外面に取付部の辺に沿って形成された溝は、過剰なロウ材のほとんどを内部に引き込み溜めて金属枠体と入出力端子のメタライズ層との間にロウ材のメニスカスによるロウ材溜りを発生させない。その結果、ロウ材溜まりを起点として金属枠体や入出力端子ひいては基体に応力を加えることはない。
【００１６】
また本発明においては、前記溝の深さＸが前記金属枠体の厚さの１／５〜１／３、前記溝の幅Ｙが１〜５ｍｍ、前記取付部の辺と前記溝との距離Ｌが０．１〜５ｍｍであることから、上述した本発明の効果がさらに有効なものとなる。
【００１８】
【発明の実施の形態】
本発明の半導体パッケージの一種である光半導体パッケージについて以下に詳細に説明する。図１は本発明の光半導体パッケージの斜視図、図２は金属枠体２と入出力端子３との接合部の部分拡大平面図を示し、これらの図において、１は基体、２は金属枠体、３は入出力端子、５は光ファイバ７が取着された金属ホルダ６を固定する筒状の固定部材、９はシールリングである。これら基体１と金属枠体２と入出力端子３と固定部材５とシールリング９とで、内部にＬＤ，ＰＤ等の光半導体素子である半導体素子１０を収納し、シールリング９上面に蓋体を取着することにより容器が構成される。
【００１９】
基体１は、その上面に半導体素子１０を載置する載置部１ａを有するとともに、外部の実装基板にネジ止めするためのフランジ１ｂが形成されており、半導体素子１０を支持する支持部材として機能するとともに、半導体素子１０の作動時に発する熱を外部に効率良く放散する機能を有する。
【００２０】
この基体１は、その形状は略直方体または略長方形の平板であり、銅（Ｃｕ）−タングステン（Ｗ）合金やＦｅ−Ｎｉ−Ｃｏ合金等の金属材料から成る。また、その製作は金属材料のインゴットに圧延加工やプレス加工等の金属加工を施すことにより所定の形状に成される。
【００２１】
なお、この基体１は、その表面に耐蝕性に優れかつロウ材との濡れ性に優れる金属、具体的には厚さ０．５〜９μｍのＮｉ層と、厚さ０．５〜５μｍのＡｕ層とを順次メッキ法により被着させておくと、基体１が酸化腐食するのを有効に防止できるとともに、基体１上面に半導体素子１０を強固に接着固定できる。従って、基体１表面には０．５〜９μｍのＮｉ層や厚さ０．５〜５μｍのＡｕ層等の金属層をメッキ法により被着させておくことが好ましい。
【００２２】
また、この基体１の上面には、載置部１ａを囲繞するようにして銀ロウ等のロウ材を介して接合されるとともに、長辺の両側部に半導体素子１０と外部電気回路（図示せず）とを電気的に接続する入出力端子３嵌着接合用の貫通孔または切欠部から成る取付部２ａが形成され、さらに短辺の一側部に半導体素子１０と光結合するための光伝送路である貫通孔２ｂが形成された、Ｆｅ−Ｎｉ−Ｃｏ合金等の金属材料から成る金属枠体２を有する。
【００２３】
また、本発明において、この金属枠体２は、その内面および／または外面の取付部２ａの辺に沿ってその辺の長さと略同じ長さ以上の溝２ｃが形成されている。この溝２ｃは、入出力端子３を取付部２ａに銀ロウ等のロウ材８で嵌着接合させた際、過剰なロウ材が、金属枠体２内部の気密性，高周波伝送特性，光結合効率を損なわせる程度に大きいロウ材溜まりを、金属枠体２とメタライズ層３ａ−Ｂとの間にメニスカスを形成することによって、生じることがないような機能を有する。即ち、溝２ｃは、過剰なロウ材のほとんどを引き込み溜める機能を有するため、ロウ材溜まりを起点として、金属枠体２や入出力端子３ひいては基体１に応力を印加させることはない。
【００２４】
また、このような溝２ｃは、その深さＸが金属枠体２の厚さの１／５〜１／３であり、また溝２ｃの幅Ｙは１〜５ｍｍ、さらに取付部２ａの辺と溝２ｃとの距離Ｌが０．１〜１０ｍｍであることがよく、この場合上記機能を有効なものとできる。
【００２５】
即ち、溝２ｃの深さＸが金属枠体２の厚さの１／５未満の場合、その深さＸが浅すぎるため過剰なロウ材を引き込み溜めることが困難であり、一方、溝２ｃの深さＸが金属枠体２の厚さの１／３を超える場合、金属枠体２の剛性が損なわれることとなり、外部からの応力に対して金属枠体２が変形したり破損する等の問題や、メタライズ層３ａ−Ｂと金属枠体２との接合時における応力により、溝２ｃ即ち金属枠体２にクラックが発生する等の問題が起こり易くなる。
【００２６】
また、溝２ｃの幅Ｙが１ｍｍ未満の場合、幅Ｙが狭すぎるため過剰なロウ材を有効に溜めることが困難であり、一方、溝２ｃの幅Ｙが５ｍｍを超える場合、金属枠体２の剛性が損なわれることとなり、外部からの応力により金属枠体２が変形したり破損する等の問題や、メタライズ層３ａ−Ｂと金属枠体２との接合時における応力により、溝２ｃ即ち金属枠体２にクラックが発生する等の問題が起こり易くなる。
【００２７】
また、取付部２ａの辺と溝２ｃとの距離（間隔）Ｌが０．１ｍｍ未満の場合、金属枠体２に溝２ｃを形成することは製造上困難である。一方、取付部２ａの辺と溝２ｃとの距離Ｌが５ｍｍを超える場合、その距離が取付部２ａの辺から長いため過剰なロウ材が、この溝２ｃまで流れない場合があり、即ち溝２ｃの機能を発揮できない場合がある。
【００２８】
なお、溝２ｃは、金属枠体２の内面および／または外面の取付部２ａの辺に沿ってその辺の長さと略同じ長さ以上で形成されていれば良く、辺の長さと略同じ長さで設けられていても良い。本実施形態では、図１に示すように、金属枠体２の内面に２つの取付部２ａの両側辺に沿って４箇所に溝２ｃを形成したが、メタライズ層３ａ−Ｂと金属枠体２の内面との間に形成されるメニスカスによるロウ材溜まりの発生を有効に防止できた。
【００２９】
この溝２ｃの平面視における断面形状は、凹形状，Ｕ形状，Ｖ形状等の種々の形状とし得る。また、図５に示すように、過剰なロウ材が溝２ｃ内に引き込まれ易いように、取付部２ａの辺（図５では側辺）から遠ざかるにつれて深くなる斜面とされ、かつ辺と反対側の内側面が金属枠体２の内面（または外面）に略垂直とされた断面形状であってもよい。さらには、図６に示すように、過剰なロウ材が下方に垂れて溝２ｃから漏れるのを防ぐために、溝２ｃの深さＸが下方にいくにつれて深くなるように形成してもよい。
【００３０】
また、メタライズ層３ａ−Ｂに接合される部位から少なくとも溝２ｃの内周面までは金属枠体２表面にＮｉ層を形成しておく方が良く、その場合ロウ材を溝２ｃまで流して引き込み溜めることが容易となる。
【００３１】
このような金属枠体２の製作は、基体１と同様、金属材料のインゴットに圧延加工やプレス加工等の金属加工を施すことにより所定の形状に形成される。
【００３２】
なお、金属枠体２の基体１への接合は基体１上面と金属枠体２下面とを、基体１上面に敷設したプリフォーム状の銀ロウ等のロウ材を介して接合される。さらに、金属枠体２表面には、基体１と同様に０．５〜９μｍのＮｉ層や厚さ０．５〜５μｍのＡｕ層等の金属層をメッキ法により被着させておくと良い。
【００３３】
また、この金属枠体２の切欠部から成る取付部２ａには、半導体素子１０と外部電気回路との高周波信号の入出力を行う機能を有するとともに、光半導体パッケージの内外部を遮断する機能を有する入出力端子３が、これに設けられているメタライズ層３ａ−Ｂを介して銀ロウ等のロウ材で接合される。
【００３４】
この入出力端子３は、略長方形で板状の平板部３ａの上面に、略直方体で横倒しにされた四角柱状の立壁部３ｂが積層されて成る。
【００３５】
この平板部３ａは、アルミナ（Ａｌ2Ｏ3）セラミックス，窒化アルミニウム（ＡｌＮ）セラミックス，ムライト（３Ａｌ2Ｏ3・２ＳｉＯ2）セラミックス等の誘電体か成る。そして、平板部３ａの上面には、長辺の１辺から対向する他辺にかけて、Ｗ，Ｍｏ−Ｍｎ等のメタライズ層から成る線路導体３ａ−Ａが形成される。平板部３ａの下面には、全面に線路導体３ａ−Ａと同様の金属層が形成され、また線路導体３ａ−Ａと平行となる側面にも同様のメタライズ層３ａ−Ｂが形成される。
【００３６】
このような線路導体３ａ−Ａやメタライズ層３ａ−Ｂ等は、例えばＷ等の粉末に有機溶剤、溶媒を添加混合して得た金属ペーストを、平板部３ａ用のセラミックグリーンシートに、予め従来周知のスクリーン印刷法により所定パターンに印刷塗布しておき、焼成することにより形成される。
【００３７】
また、立壁部３ｂは、平板部３ａと同様の誘電体からなり、その上面の全面に線路導体３ａ−Ａと同様のメタライズ層が形成されるとともに、取付部２ａ内周面に接合される面にメタライズ層３ａ−Ｂが形成されている。
【００３８】
このようなメタライズ層３ａ−Ｂ等は、線路導体３ａ−Ａ等と同様の方法により金属ペーストを所定パターンに印刷塗布し焼成することにより形成される。
【００３９】
この入出力端子３の線路導体３ａ−Ａの金属枠体２外部に導出される部位には、外部電気回路と入出力端子３との高周波信号の入出力を行い、Ｆｅ−Ｎｉ−Ｃｏ合金等の金属材料から成るリード端子４が銀ロウ等のロウ材で接合される。
【００４０】
また、金属枠体２の短辺側の一側部には、貫通孔２ｂが形成されており、一端面が貫通孔２ｂの開口を囲むように銀ロウ等のロウ材で接合され、かつ他方の端面には光ファイバ７を樹脂等の接着剤で取着した金属ホルダ６が、Ａｕ−Ｓｎ等の低融点ロウ材で接合される固定部材５が設けられる。この固定部材５は、基体１や金属枠体２と同様の材料を同様の加工法で所望の形状に加工されるとともに、その表面に０．５〜９μｍのＮｉ層や０．５〜５μｍのＡｕ層等の金属層をメッキ法により被着させておくと良い。
【００４１】
このように、入出力端子３および固定部材５が取着される金属枠体２上面にはシールリング９が銀ロウ等のロウ材８で接合される。このシールリング９は、金属枠体２上面に銀ロウ等のロウ材で接合されて入出力端子３を挟持するとともに、その上面に、半導体素子１０を封止するための蓋体をシーム溶接等により接合するための接合媒体として機能する。
【００４２】
本発明の半導体パッケージとしての光半導体パッケージは、金属材料から成る基体１と、その上面に半導体素子１０の載置部１ａを囲繞するように接合され、取付部２ａ，貫通孔２ｂを有するとともに、取付部２ａの辺に沿って内面および／または外面に溝２ｃが形成された金属枠体２と、この取付部２ａに銀ロウ等のロウ材で接合された入出力端子３とを具備している。この金属枠体２の溝２ｃは、入出力端子３を取付部２ａに銀ロウ等のロウ材で嵌着接合させた際、金属枠体２内部の気密性，高周波伝送特性，光結合効率を損なわせる程度に大きいロウ材溜まりを金属枠体２とメタライズ層３ａ−Ｂとの間に形成させることはない。
【００４３】
このような光半導体パッケージに、光半導体素子等の半導体素子１０を載置部１ａにＳｎ−Ｐｂ半田等の低融点ロウ材で載置固定するとともに、線路導体３ａ−Ａと半導体素子１０とをボンディングワイヤで電気的に接続し、さらに固定部材５に、光ファイバ７を樹脂等の接着剤で取着した金属ホルダ６を、Ａｕ−Ｓｎ等の低融点ロウ材で接合した後、シールリング９上面に蓋体をシーム溶接等により接合することにより、製品としての光半導体装置となる。
【００４４】
この光半導体装置は、外部の実装基板上にネジ止めされた後、外部電気回路から供給される駆動信号によって半導体素子１０を光励起させ、励起したレーザ光等の光を光ファイバ７に授受させるとともに、光ファイバ７内を伝送させることにより、大容量の情報を高速に伝送できる光電変換装置として機能するものであり、光通信分野等に多く用いられる。
【００４５】
かくして、本発明は、金属枠体２と入出力端子３とをロウ材で接合した際に、入出力端子３にクラックが発生することにより、高周波信号の伝送効率や、金属枠体２内部の気密性が損なわれることを有効に防止でき、また半導体パッケージを実装基板上にネジ止めを行った際に、基体１の反り変形が矯正され、光ファイバ７と半導体素子１０との光結合効率が損なわれることを有効に防止できる。その結果、半導体素子１０を長期間にわたり、正常かつ安定に作動させ得る。
【００４６】
なお、本発明は上記実施の形態に限定されず、本発明の要旨を逸脱しない範囲内において種々の変更を行うことは何等支障ない。例えば、取付部２ａのメタライズ層３ａ−Ｂが直接接合されない内周面（下側内周面）に相当する下辺に沿って、溝２ｃを形成しても良い。この場合、自重によって垂れた過剰なロウ材のほとんど全てを溝２ｃに溜めることができ、ロウ材溜まりによる応力の発生を皆無にできる。
【００４７】
【発明の効果】
本発明は、金属枠体の取付部に銀ロウ等のロウ材で嵌着接合される入出力端子を具備する半導体パッケージにおいて、金属枠体の内面および／または外面の取付部の辺に沿ってその辺の長さと略同じ長さ以上の溝が形成されていることにより、金属枠体の取付部に入出力端子をロウ材で接合した際、過剰なロウ材を引き込んで溝内に溜めることができ、例えば金属枠体の内面または外面と入出力端子側面のメタライズ層との間にロウ材のメニスカスが形成されてロウ材溜りが生じるのを防ぐことができ、その結果、金属枠体内部の気密性や高周波伝送特性、さらには光結合効率を良好なものとし、半導体素子を長期にわたり正常かつ安定に作動させ得る。
【００４８】
また本発明においては、溝の深さＸを金属枠体の厚さの１／５〜１／３、溝の幅Ｙを１〜５ｍｍとし、かつ取付部の辺と溝との距離Ｌを０．１〜５ｍｍとしたことから、例えば金属枠体の内面または外面と入出力端子側面のメタライズ層との間にロウ材のメニスカスが形成されてロウ材溜りが生じるのを有効に防ぐことができる。
【図面の簡単な説明】
【図１】本発明の半導体パッケージの一実施形態を示す分解斜視図である。
【図２】図１の金属枠体と入出力端子との接合部の部分拡大平面図である。
【図３】従来の半導体パッケージの分解斜視図である。
【図４】図３の金属枠体と入出力端子との接合部の部分拡大平面図である。
【図５】本発明の溝についての一実施形態であり平面視における溝の断面形状を示す要部断面図である。
【図６】本発明の溝についての他の実施形態であり側面からみた溝の断面形状を示す要部断面図である。
【符号の説明】
１：基体
１ａ：載置部
２：金属枠体
２ａ：取付部
２ｃ：溝
３：入出力端子
３ａ−Ｂ：メタライズ層
【図１】
0003659326.tif 000002
【図２】
0003659326.tif 000003
【図３】
0003659326.tif 000004
【図４】
0003659326.tif 000005
【図５】
0003659326.tif 000006
【図６】
0003659326.tif 000007